【手続補正書】
【提出日】平成21年11月6日(2009.11.6)
【手続補正１】
【補正対象書類名】特許請求の範囲
【補正対象項目名】全文
【補正方法】変更
【補正の内容】
【特許請求の範囲】
【請求項１】
画像形成装置と周辺装置とが相互通信し、かつ、前記画像形成装置及び前記周辺装置はそれぞれ専用の電源を有する画像形成システムにおいて、
前記画像形成装置は、該画像形成装置の状況を報知するためのユーザインターフェース手段を備え、
前記周辺装置は、
前記画像形成装置の通電が切断されたことを検知する通電切断検知手段と、
前記通電切断検知手段による検知結果を前記画像形成装置へ通知する通知手段とを備え、
前記画像形成装置は、通電が再開された際、前記通知手段からの通知を前記ユーザインターフェース手段により報知することを特徴とする画像形成システム。
【請求項２】
前記画像形成装置は、前記周辺装置に対して接続監視コマンドを発行するコマンド発行手段を備え、
前記通電切断検知手段は、前記接続監視コマンドの受信を監視することで通電切断検知を行うことを特徴とする請求項１記載の画像形成システム。
【請求項３】
前記ユーザインターフェース手段は、ディスプレイ手段であることを特徴とする請求項１記載の画像形成システム。
【請求項４】
前記ユーザインターフェース手段は、外部通信機器に通報するための外部通信手段であることを特徴とする請求項１記載の画像形成システム。
【請求項５】
画像形成装置と周辺装置とが相互通信し、かつ、前記画像形成装置及び前記周辺装置はそれぞれ専用の電源を有する画像形成システムにおいて、
前記画像形成装置は、該画像形成装置の状況を報知するためのユーザインターフェース手段を備え、
前記周辺装置は、
前記画像形成装置の通電の切断後に改めて前記画像形成装置への通電がなされたことを検知する通電開始検知手段と、
前記通電開始検知手段による検知結果を前記画像形成装置へ通知する通知手段とを備え、
前記画像形成装置は、通電が再開された際、前記通知手段からの通知を前記ユーザインターフェース手段により報知することを特徴とする画像形成システム。
【請求項６】
前記画像形成装置は、前記周辺装置に対して接続監視コマンドを発行するコマンド発行手段を備え、
前記通電開始検知手段は、前記接続監視コマンドが断絶した後、再開されることで通電開始検知を行うことを特徴とする請求項５記載の画像形成システム。
【請求項７】
前記ユーザインターフェース手段は、ディスプレイ手段であることを特徴とする請求項５記載の画像形成システム。
【請求項８】
前記ユーザインターフェース手段は、外部通信機器に通報するための外部通信手段であることを特徴とする請求項５記載の画像形成システム。
【請求項９】
画像形成装置と周辺装置とが相互通信し、かつ、前記画像形成装置及び前記周辺装置はそれぞれ専用の電源を有する画像形成システムにおいて、
前記周辺装置は、
前記画像形成装置の通電が切断されたことを検知する通電切断検知手段と、
前記通電切断検知手段により、前記画像形成装置の通電が切断されたことを検知した場合、自身の動作を停止させる動作停止手段とを備えることを特徴とする画像形成システム。
【請求項１０】
前記画像形成装置は、前記周辺装置に対して接続監視コマンドを発行するコマンド発行手段を備え、
前記通電切断検知手段は、前記接続監視コマンドの受信を監視することで通電切断検知を行うことを特徴とする請求項９記載の画像形成システム。
【請求項１１】
画像形成装置と周辺装置とが相互通信し、かつ、前記画像形成装置及び前記周辺装置はそれぞれ専用の電源を有する画像形成システムの制御方法において、
前記周辺装置は、
前記画像形成装置の通電が切断されたことを検知する通電切断検知ステップと、
前記通電切断検知ステップによる検知結果を前記画像形成装置へ通知する通知ステップとを備え、
前記画像形成装置は、通電が再開された際、前記通知ステップによる通知を外部に報知する報知ステップを備えることを特徴とする画像形成システムの制御方法。
【請求項１２】
前記画像形成装置は、前記周辺装置に対して接続監視コマンドを発行するコマンド発行ステップを備え、
前記通電切断検知ステップは、前記接続監視コマンドの受信を監視することで通電切断検知を行うことを特徴とする請求項１１記載の画像形成システムの制御方法。
【請求項１３】
画像形成装置と周辺装置とが相互通信し、かつ、前記画像形成装置及び前記周辺装置はそれぞれ専用の電源を有する画像形成システムの制御方法において、
前記周辺装置は、
前記画像形成装置の通電の切断後に改めて前記画像形成装置への通電がなされたことを検知する通電開始検知ステップと、
前記通電開始検知ステップによる検知結果を前記画像形成装置へ通知する通知ステップとを備え、
前記画像形成装置は、通電が再開された際、前記通知ステップによる通知を外部に報知する報知ステップを備えることを特徴とする画像形成システムの制御方法。
【請求項１４】
前記画像形成装置は、前記周辺装置に対して接続監視コマンドを発行するコマンド発行ステップを備え、
前記通電開始検知ステップは、前記接続監視コマンドが断絶した後、再開されることで通電開始検知を行うことを特徴とする請求項１３記載の画像形成システム。
【請求項１５】
画像形成装置と周辺装置とが相互通信し、かつ、前記画像形成装置及び前記周辺装置はそれぞれ専用の電源を有する画像形成システムの制御方法において、
前記周辺装置は、
前記画像形成装置の通電が切断されたことを検知する通電切断検知ステップと、
前記通電切断検知ステップにより、前記画像形成装置の通電が切断されたことを検知した場合、自身の動作を停止させる動作停止ステップとを備えることを特徴とする画像形成システムの制御方法。
【請求項１６】
前記画像形成装置は、前記周辺装置に対して接続監視コマンドを発行するコマンド発行ステップを備え、
前記通電切断検知ステップは、前記接続監視コマンドの受信を監視することで通電切断検知を行うことを特徴とする請求項１５記載の画像形成システムの制御方法。
【手続補正２】
【補正対象書類名】明細書
【補正対象項目名】００１２
【補正方法】変更
【補正の内容】
【００１２】
上記目的を達成するために、請求項１記載の画像形成システムは、画像形成装置と周辺装置とが相互通信し、かつ、前記画像形成装置及び前記周辺装置はそれぞれ専用の電源を有する画像形成システムにおいて、前記画像形成装置は、該画像形成装置の状況を報知するためのユーザインターフェース手段を備え、前記周辺装置は、前記画像形成装置の通電が切断されたことを検知する通電切断検知手段と、前記通電切断検知手段による検知結果を前記画像形成装置へ通知する通知手段とを備え、前記画像形成装置は、通電が再開された際、前記通知手段からの通知を前記ユーザインターフェース手段により報知することを特徴とする。
【手続補正３】
【補正対象書類名】明細書
【補正対象項目名】００１３
【補正方法】変更
【補正の内容】
【００１３】
請求項５記載の画像形成システムは、画像形成装置と周辺装置とが相互通信し、かつ、前記画像形成装置及び前記周辺装置はそれぞれ専用の電源を有する画像形成システムにおいて、前記画像形成装置は、該画像形成装置の状況を報知するためのユーザインターフェース手段を備え、前記周辺装置は、前記画像形成装置の通電の切断後に改めて前記画像形成装置への通電がなされたことを検知する通電開始検知手段と、前記通電開始検知手段による検知結果を前記画像形成装置へ通知する通知手段とを備え、前記画像形成装置は、通電が再開された際、前記通知手段からの通知を前記ユーザインターフェース手段により報知することを特徴とする。
【手続補正４】
【補正対象書類名】明細書
【補正対象項目名】００１４
【補正方法】変更
【補正の内容】
【００１４】
請求項９記載の画像形成システムは、画像形成装置と周辺装置とが相互通信し、かつ、前記画像形成装置及び前記周辺装置はそれぞれ専用の電源を有する画像形成システムにおいて、前記周辺装置は、前記画像形成装置の通電が切断されたことを検知する通電切断検知手段と、前記通電切断検知手段により、前記画像形成装置の通電が切断されたことを検知した場合、自身の動作を停止させる動作停止手段とを備えることを特徴とする。
【手続補正５】
【補正対象書類名】明細書
【補正対象項目名】００１５
【補正方法】変更
【補正の内容】
【００１５】
請求項１１記載の画像形成システムの制御方法は、画像形成装置と周辺装置とが相互通信し、かつ、前記画像形成装置及び前記周辺装置はそれぞれ専用の電源を有する画像形成システムの制御方法において、前記周辺装置は、前記画像形成装置の通電が切断されたことを検知する通電切断検知ステップと、前記通電切断検知ステップによる検知結果を前記画像形成装置へ通知する通知ステップとを備え、前記画像形成装置は、通電が再開された際、前記通知ステップによる通知を外部に報知する報知ステップを備えることを特徴とする。
【手続補正６】
【補正対象書類名】明細書
【補正対象項目名】００１６
【補正方法】変更
【補正の内容】
【００１６】
請求項１３記載の画像形成システムの制御方法は、画像形成装置と周辺装置とが相互通信し、かつ、前記画像形成装置及び前記周辺装置はそれぞれ専用の電源を有する画像形成システムの制御方法において、前記周辺装置は、前記画像形成装置の通電の切断後に改めて前記画像形成装置への通電がなされたことを検知する通電開始検知ステップと、前記通電開始検知ステップによる検知結果を前記画像形成装置へ通知する通知ステップとを備え、前記画像形成装置は、通電が再開された際、前記通知ステップによる通知を外部に報知する報知ステップを備えることを特徴とする。
【手続補正７】
【補正対象書類名】明細書
【補正対象項目名】００１７
【補正方法】変更
【補正の内容】
【００１７】
請求項１５記載の画像形成システムの制御方法は、画像形成装置と周辺装置とが相互通信し、かつ、前記画像形成装置及び前記周辺装置はそれぞれ専用の電源を有する画像形成システムの制御方法において、前記周辺装置は、前記画像形成装置の通電が切断されたことを検知する通電切断検知ステップと、前記通電切断検知ステップにより、前記画像形成装置の通電が切断されたことを検知した場合、自身の動作を停止させる動作停止ステップとを備えることを特徴とする。
【手続補正８】
【補正対象書類名】明細書
【補正対象項目名】００１８
【補正方法】変更
【補正の内容】
【００１８】
本発明の画像形成システムにおいて、画像形成装置は、該画像形成装置の状況を外部に報知するためのユーザインターフェース手段を備える。周辺装置は、画像形成装置の通電が切断されたことを検知する通電切断検知手段と、通電切断検知手段による検知結果を画像形成装置へ通知する通知手段とを備える。そして、画像形成装置は、通電が再開された際、通知手段からの通知をユーザインターフェース手段により報知する。
【手続補正９】
【補正対象書類名】明細書
【補正対象項目名】００２５
【補正方法】変更
【補正の内容】
【００２５】
これらエンジン（ＩＤ１）、給紙デッキ（ＩＤ１１〜ＩＤ１３）、インサータ（ＩＤ２１、ＩＤ２２）、パンチャ（ＩＤ３１）、スタッカ（ＩＤ５１、ＩＤ５２）、フィニッシャ（ＩＤ２）は、例えば、ＬＡＮケーブル等のネットワーク１０１で接続される。